(57)【要約】【課題】歯科治療椅子に患者が仰向けに寝て歯科治療をうける場合、患者の肩部（肩甲骨部分）がバックレストに十分にサポートされていないと不安であり、また、肩に無用な力が入るため疲労感を伴う。【解決手段】歯科治療椅子の着座部１０は、バックレスト１２及びコンターシート１３を有し、該バックレスト１２が前記コンターシート１３に対して起倒可能である。バックレスト１２の後部には該バックレスト１２を支持する支柱を有し、該支柱の左右両側には該支柱より延長して設けられた支持部材を有する。この支持部材にバックレスト１２の両側に延長して患者の肩部を支える肩部サポート部材２０Ｒ，２０Ｌが矢印Ａ方向に着脱自在に装着可能となっており、この肩部サポート部材２０Ｒ，２０Ｌにて、患者を寝状態にした時、患者の肩部を支える。【選択図】図１
2007236868.tif 000002
【特許請求の範囲】
【請求項１】
バックレスト及びコンターシートを有し、該バックレストが前記コンターシートに対して起倒可能な歯科治療椅子において、前記バックレストの後部に該バックレストを支持する支柱、及び、該支柱の左右両側に該支柱より延長して設けられた支持部材を有し、該支持部材に前記バックレストの両側に該バックレストより外側に延長して患者の肩部を支える肩部サポート部材を着脱自在に装着可能としたことを特徴とする歯科治療椅子。
【請求項２】
前記支持部材は、前記支柱より延長する弾性アームの先端部に取り付けられ、該弾性アームによって前記支持部材をバックレスト裏面側に向って押圧するように取り付けていることを特徴とする請求項１に記載の歯科治療椅子。
【請求項３】
前記支持部材は、上下方向に細長の板状部材から成り、前記肩部サポート部材は前記板状部材を挿通嵌合する溝を有することを特徴とする請求項１又は２に記載の歯科治療椅子。
【請求項４】
前記肩部サポート部材に設けられた溝は、下方に開口し、上方で閉鎖されており、前記下方の開口より前記板状支持部材に挿通嵌合されることを特徴とする請求項１乃至３のいずれかに記載の歯科治療椅子。
【請求項５】
前記肩部サポート部材として、大きさ、形状の異なるものを複数種準備して有し、これらの中から所望の部材を選択して前記支持部材に装着可能としたことを特徴とする請求項１乃至４のいずれかに記載の歯科治療椅子。
【発明の詳細な説明】
【技術分野】
【０００１】
本発明は、歯科用の治療椅子に係り、より詳細には、バックレスト及びコンターシートを有し、該バックレストが前記コンターシートに対して起倒可能な歯科治療椅子において、歯科治療椅子に患者が仰向けに寝て歯科治療をうける際に、患者の肩部（肩甲骨部分）を確実に支持する補助部材（肩部サポート部材）を着脱自在に装着可能とした歯科治療椅子に関する。
【背景技術】
【０００２】
図５は、従来の歯科治療椅子の一例を説明するための要部概略斜視図で、該歯科治療椅子は、周知のように、安頭台１１，バックレスト１２，コンターシート１３，レッグレスト１４，フットレスト１５等からなり、バックレスト１２はコンターシート１３に対して起倒可能な着座部１０と、該着座部１０を搭載し、該着座部１０を上下動及び傾斜動させる基台１６より成っている。
【発明の開示】
【発明が解決しようとする課題】
【０００３】
歯科治療にあたり、患者は着座部１０に座り、頭を安頭台１１に固定して治療を受ける。治療中、術者は着座部１０を上下動、起倒、傾斜動等させて、患者を治療しやすい姿勢にして治療を行うが、その際、歯科治療椅子に患者が仰向けに寝て歯科治療をうける場合、患者の肩部（肩甲骨部分）がバックレストに効果的にサポートされていないと不安（落ち着かない）であり、また、肩に無用な力が入るため疲労感を伴う。
【課題を解決するための手段】
【０００４】
本発明は、上記課題を解決するために、請求項１の発明は、バックレスト及びコンターシートを有し、該バックレストが前記コンターシートに対して起倒可能な歯科治療椅子において、前記バックレストの後部に該バックレストを支持する支柱、及び、該支柱の左右両側に該支柱より延長して設けられた支持部材を有し、該支持部材に前記バックレストの両側に該バックレストより外側に延長して患者の肩部を支える肩部サポート部材を着脱自在に装着可能としたことを特徴としたものである。
【０００５】
請求項２の発明は、請求項１の発明において、前記支持部材は、前記支柱より延長する弾性アームの先端部に取り付けられ、該弾性アームによって前記支持部材をバックレスト裏面側に向って押圧するように取り付けていることを特徴としたものである。
【０００６】
請求項３の発明は、請求項１又は２の発明において、前記支持部材は、上下方向に細長の板状部材から成り、前記肩部サポート部材は前記板状部材を挿通嵌合する溝を有することを特徴としたものである。
【０００７】
請求項４の発明は、請求項１乃至３のいずれかの発明において、前記肩部サポート部材に設けられた溝は、下方に開口し、上方で閉鎖されており、前記下方の開口より前記板状支持部材に挿通嵌合されることを特徴としたものである。
【０００８】
請求項５の発明は、請求項１乃至４のいずれかの発明において、前記肩部サポート部材として、大きさ、形状の異なるものを複数種準備して有し、これらの中から所望の部材を選択して前記支持部材に装着可能としたことを特徴としたものである。
【発明の効果】
【０００９】
本発明によると、歯科治療椅子に患者が仰向けに寝て歯科治療をうける際、患者の肩部（肩甲骨部分）がバックレストに効果的にサポートされているので、患者は不安なく落ちついて治療を受けることができ、また、肩に無用な力が入らないため疲労感を受けることもない。
【発明を実施するための最良の形態】
【００１０】
図１は、本発明による歯科治療椅子の一実施例を説明するための要部構成図で、図中、２０Ｒ，２０Ｌは、本発明によってバックレスト１２の裏側に着脱自在に装着された肩部サポート部材で、これら肩部サポート部材２０Ｒ，２０Ｌは、後述するように、例えば、バックレスト１２の裏側において、矢印Ａにて示す方向に挿脱自在になっており、特に、肩部の広い患者等を寝状態にして診療する際、該肩部サポート部材２０Ｒ，２０Ｌを、図示のように装着して診療することにより、肩幅の広い患者であっても、該肩部サポート部材で患者の肩部を十分に支えることができ、患者に安心感を与えることができる。
【００１１】
図２は、図１に示したバックレスト部を裏側から見た図で、バックレスト１２の裏側中心部にはバックレスト１２を支える支柱３０が設けられており、該支柱３０の上部には、周知のように、安頭台１１が取り付けられている。支柱３０の左右両側には、前記肩部サポート部材２０Ｒ，２０Ｌを取り付けるためのアーム３１Ｒ，３１Ｌが延長し、それらの先端には、肩部サポート部材２０Ｒ，２０Ｌを着脱自在に挿脱するための支持板３２Ｒ，３２Ｌが設けられており、これら支持板３２Ｒ，３２Ｌに対して肩部サポート部材２０Ｒ，２０Ｌがバックレスト１２の上方より矢印Ａ方向に着脱可能となっている。
【００１２】
図３は、支柱３０に肩部サポート部材２０Ｒ，２０Ｌを着脱自在に装着するための構造の一例を説明するための図で、図３（Ａ）は、図２のIII（Ａ）−III（Ａ）線より見た断面図、図３（Ｂ）は、肩部サポート部材２０Ｒの背面図で、図３（Ａ）に示すように、支持板３２Ｒ，３２Ｌは細長い板状部材で構成され、肩部サポート部材２０Ｒ，２０Ｌは板状支持部材３２Ｒ，３２Ｌを上下方向に挿通する溝２１Ｒ，２１Ｌ（図示せず）を有する。この溝２１Ｒ，２１Ｌは、図３（Ｂ）に示すように、肩部サポート部材２０Ｒ，２０Ｌの下方２１Ｄでは開口されており、上方２１Ｕでは閉鎖されている。従って、これら肩部サポート部材２０Ｒ，２０Ｌは、バックレスト１２の上方より、溝２１Ｒ（２１Ｌ）の下方２１Ｄを支持板３２Ｒ（３２Ｌ）の上端に合せて下方に押し下げると、該肩部サポート部材２０Ｒ，２０Ｌを支柱３０に装着することができる。取り外す時は、肩部サポート部材２０Ｒ，２０Ｌを上方に引き上げればよい。
【００１３】
アーム部材３１Ｒ，３１Ｌは、好ましくは、弾性部材で構成されており、肩部サポート部材２０Ｒ，２０Ｌが装着された時に、図３に矢印Ｂにて示す方向の力を与え、これら肩部サポート部材２０Ｒ，２０Ｌをバックレスト１２側に押し付け、該バックレスト１２との整合性をよくし、更には、クッション性を持たせて患者との整合性をよくしている。３１Ｒ，３１Ｌは、それ自身を弾性部材で構成してもよいが、図示のように、アーム部材としては柔軟性の部材を用い、スプリング等を用いて弾性を持たせるようにしてもよい。
【００１４】
図４は、異なる大きさ、異なる形状の肩部サポート部材の例を示す図で、図４（Ａ）は大サイズのサポート部材、図４（Ｂ）は小サイズのサポート部材の例を示す。前述のように、本発明は、肩幅の広い患者のための補助部材としてのサポート部材を用いるものであるが、肩幅の広い患者でも、肩幅の広さ、形等、患者によって異なるので、例えば、図示のように、大きさ、形状の異なる肩部サポート部材を何種類か準備しておき、患者に合った大きさ、形状のサポート部材或いはドクターの好に合ったサポート部材を選択して使用するようにすると、より効果的に、患者の体形に合った状態で、患者の肩部を効果的に支えて診療することができる。
【図面の簡単な説明】
【００１５】
【図１】本発明による歯科治療椅子の一実施例を説明するための要部構成図である。
【図２】図１に示したバックレスト部を裏側から見た図である。
【図３】支柱に肩部サポート部材を着脱自在に装着するための構造の一例を説明するための図である。
【図４】異なる大きさ、異なる形状の肩部サポート部材の例を示す図である。
【図５】従来の歯科治療椅子の一例を説明するための要部概略斜視図である。
【符号の説明】
【００１６】
１０…着座部、１１…安頭台、１２…バックレスト、１３…コンターシート、１４…レッグレスト、１５…フットレスト、１６…基台、２０Ｒ，２０Ｌ…肩部サポート部材、３０…支柱、３１Ｒ，３１Ｌ…アーム、３２Ｒ，３２Ｌ…支持板。
【図１】
2007236868.tif 000003
【図２】
2007236868.tif 000004
【図３】
2007236868.tif 000005
【図４】
2007236868.tif 000006
【図５】
2007236868.tif 000007